(57)【要約】【課題】構成を簡単にする。【解決手段】キー装置１０では、イグニッションシリンダにイグニッションキーが挿入された際に、スイッチ２８において、移動体３４が移動されることで、イグニッションキーの回転位置に拘らず、一対の第１接点４６、４８が一対の第２接点５６、５８に接触されて、イグニッションシリンダにイグニッションキーが挿入されているか否かを検知可能にされている。ここで、移動体３４の移動方向において、一対の第１接点４６、４８と一対の第２接点５６、５８とが接触される。このため、一対の第２接点５６、５８を平行に配置でき、一対の第２接点５６、５８の構成を簡単にできる。【選択図】図１
2009129623.tif 000002
【特許請求の範囲】
【請求項１】
キーの挿入及び抜取を可能にされて前記キーが挿入された際に前記キーが所定の回転位置に回転可能にされたキーシリンダに連絡され、前記キーシリンダに前記キーが挿入されることで少なくとも一方が移動される一対の第１接点と、
前記キーシリンダに前記キーが挿入された際に前記キーの回転位置に拘らず前記第１接点の移動方向において前記一対の第１接点と接触される一対の第２接点と、
を備えた接点装置。
【請求項２】
前記キーシリンダに前記キーが挿入された際に前記キーの回転によって回転される所定数の回転接点と、
前記キーシリンダに前記キーが挿入された際に前記キーの回転によって前記所定数の回転接点との接触と非接触とが切り換えられる所定数の切換接点と、
を備えたことを特徴とする請求項１記載の接点装置。
【請求項３】
前記第１接点及び回転接点と前記第２接点及び切換接点との少なくとも一方を一体に設けた、ことを特徴とする請求項２記載の接点装置。
【発明の詳細な説明】
【技術分野】
【０００１】
本発明は、キーシリンダにキーが挿入された際にキーの回転位置に拘らず一対の第１接点と一対の第２接点とが接触される接点装置に関する。
【背景技術】
【０００２】
ウォーニングスイッチとしては、車内のキーシリンダに対してキーが挿入されているか又は抜き取られているかによって、それぞれＯＮ状態又はＯＦＦ状態となるものがある（例えば、特許文献１参照）。
【０００３】
ここで、このようなウォーニングスイッチでは、構成を簡単にできることが望まれている。
【特許文献１】特許３３６４１６３号公報
【発明の開示】
【発明が解決しようとする課題】
【０００４】
本発明は、上記事実を考慮し、構成を簡単にできる接点装置を得ることが目的である。
【課題を解決するための手段】
【０００５】
請求項１に記載の接点装置は、キーの挿入及び抜取を可能にされて前記キーが挿入された際に前記キーが所定の回転位置に回転可能にされたキーシリンダに連絡され、前記キーシリンダに前記キーが挿入されることで少なくとも一方が移動される一対の第１接点と、前記キーシリンダに前記キーが挿入された際に前記キーの回転位置に拘らず前記第１接点の移動方向において前記一対の第１接点と接触される一対の第２接点と、を備えている。
【０００６】
請求項２に記載の接点装置は、請求項１に記載の接点装置において、前記キーシリンダに前記キーが挿入された際に前記キーの回転によって回転される所定数の回転接点と、前記キーシリンダに前記キーが挿入された際に前記キーの回転によって前記所定数の回転接点との接触と非接触とが切り換えられる所定数の切換接点と、を備えたことを特徴としている。
【０００７】
請求項３に記載の接点装置は、請求項２に記載の接点装置において、前記第１接点及び回転接点と前記第２接点及び切換接点との少なくとも一方を一体に設けた、ことを特徴としている。
【発明の効果】
【０００８】
請求項１に記載の接点装置では、キーシリンダに対するキーの挿入及び抜取を可能にされており、キーシリンダにキーが挿入された際に、キーを所定の回転位置に回転可能にされている。
【０００９】
また、キーシリンダに一対の第１接点が連絡されており、キーシリンダにキーが挿入されることで、一対の第１接点の少なくとも一方が移動されて、キーの回転位置に拘らず、一対の第１接点と一対の第２接点とが接触される。このため、キーシリンダへのキーの挿入の検知を可能にすることができる。
【００１０】
ここで、第１接点の移動方向において、一対の第１接点と一対の第２接点とが接触される。このため、一対の第２接点を平行に配置でき、構成を簡単にすることができる。
【００１１】
請求項２に記載の接点装置では、キーシリンダにキーが挿入された際に、キーの回転によって、所定数の回転接点が回転されて、所定数の回転接点と所定数の切換接点との接触と非接触とが切り換えられる。このため、キーの回転位置の検知を可能にすることができる。
【００１２】
請求項３に記載の接点装置では、第１接点及び回転接点と第２接点及び切換接点との少なくとも一方が一体に設けられている。このため、組付性を向上させることができる。
【発明を実施するための最良の形態】
【００１３】
［第１の実施の形態］
図４には、本発明の接点装置が適用されて構成された第１の実施の形態に係る車両用のキー装置１０が斜め前方から見た分解斜視図にて示されている。なお、図面では、キー装置１０の前方を矢印ＦＲで示し、キー装置１０の上方を矢印ＵＰで示す。
【００１４】
本実施の形態に係るキー装置１０は、ロックボディ１２を備えている。ロックボディ１２の後端下側部には、固定片１４が形成されており、固定片１４が車両のステアリングポスト（図示省略）の外周部に固定されることで、ロックボディ１２がステアリングポストに固定されている。
【００１５】
ロックボディ１２の上側部分には、略円筒状の収納筒１６が形成されており、収納筒１６には、キーシリンダとしての略円柱状のイグニッションシリンダ１８が収納されている。イグニッションシリンダ１８の前端は、車両の例えばインストルメントパネル（図示省略）に配置されており、イグニッションシリンダ１８の前面はインストルメントパネルから車室内へ向けられている。
【００１６】
イグニッションシリンダ１８内には、略円柱状のキーロータ２０が収納されている。キーロータ２０内には挿入孔２２が形成されており、挿入孔２２はキーロータ２０の前面から開口されている。挿入孔２２内に対しキーとしてのイグニッションキー２４を挿入及び抜取可能にされており、キーロータ２０は、イグニッションキー２４が挿入孔２２内に挿入されて回転操作されることで、回転可能にされている。これにより、イグニッションキー２４及びキーロータ２０が、回転位置としての「ＬＯＣＫ」位置、「ＡＣＣ」位置、「ＯＮ」位置及び「ＳＴＡＲＴ」位置に配置可能にされている。なお、キーロータ２０が「ＬＯＣＫ」位置に配置された際のみイグニッションキー２４を挿入孔２２内に対し挿入及び抜取可能にされており、キーロータ２０が「ＡＣＣ」位置、「ＯＮ」位置及び「ＳＴＡＲＴ」位置に配置された際にはイグニッションキー２４の挿入孔２２内に対する挿入及び抜取が規制される。
【００１７】
収納筒１６内には、イグニッションシリンダ１８の後側において、接続部材としての略軸状のプッシュロッド２６が収納されており、プッシュロッド２６の前端は、キーロータ２０の挿入孔２２内に挿入されている。プッシュロッド２６は、キーロータ２０と一体に回転可能にされると共に、キーロータ２０に対して前後方向へ移動可能にされており、イグニッションキー２４が挿入孔２２内に挿入された際には、プッシュロッド２６がイグニッションキー２４によって後方へ押圧されて後方へ移動可能にされている。
【００１８】
ロックボディ１２の後端上側部には、収納筒１６の後側において、接点装置としてのスイッチ２８が固定されており、スイッチ２８の内部には、図１〜図３に示すウォーニングスイッチ３０及びイグニッションスイッチ３２が設けられている。
【００１９】
スイッチ２８の内部には、移動体３４が設けられている。移動体３４には、軸状の回転軸３６が一体に設けられており、回転軸３６は、移動体３４から前方へ突出している。回転軸３６は、スイッチ２８から前方へ突出されて、前端がプッシュロッド２６の後端に固定されており、これにより、移動体３４が、プッシュロッド２６と一体に、回転軸３６を中心軸として回転可能にされると共に、前後方向へ移動可能にされている。
【００２０】
移動体３４には、柱状の支持体３８が前後方向へ移動可能に設けられており、移動体３４と支持体３８との間には、支持付勢手段としての支持コイルスプリング４０が架け渡されると共に、支持体３８は、移動体３４から後方へ突出されている。
【００２１】
移動体３４には、ウォーニングスイッチ３０を構成するコンタクト４２が前後方向へ移動可能に設けられており、移動体３４とコンタクト４２との間には、ウォーニング付勢手段としての付勢コイルスプリング４４が架け渡されている。コンタクト４２は、導電性を有すると共に、一対の第１接点４６、４８が形成されており、一対の第１接点４６、４８は、コンタクト４２から後方へ突出されて、移動体３４から後方へ突出されている。一方の第１接点４６は、回転軸３６の軸線上に配置されると共に、他方の第１接点４８は、回転軸３６の軸線から離間して配置されている。
【００２２】
移動体３４には、イグニッションスイッチ３２を構成する複数の回転接点５０が前後方向へ移動可能に設けられており、移動体３４と回転接点５０との間には、イグニッション付勢手段としての押圧コイルスプリング５２が架け渡されている。回転接点５０は、導電性を有しており、回転接点５０は、移動体３４から後方へ突出されると共に、回転軸３６の軸線から離間して配置されている。
【００２３】
スイッチ２８の内部には、移動体３４の後側において、板状のターミナルベース５４が設けられており、ターミナルベース５４の前面は、前後方向に垂直に配置されている。ターミナルベース５４の前面には、支持コイルスプリング４０が圧縮された状態で、支持体３８が接触されており、支持コイルスプリング４０の付勢力によって移動体３４及びプッシュロッド２６が前方へ移動されると共に、イグニッションキー２４が挿入孔２２内に挿入された際には、イグニッションキー２４によってプッシュロッド２６及び移動体３４が支持コイルスプリング４０の付勢力に抗して後方へ移動可能にされている。
【００２４】
ターミナルベース５４の前面には、ウォーニングスイッチ３０を構成する一対の第２接点５６、５８（ターミナル）が設けられており、一方の第２接点５６は、回転軸３６の軸線上に配置されると共に、他方の第２接点５８は、回転軸３６の軸線を中心とした円弧に沿って延伸されている。これにより、イグニッションキー２４が挿入孔２２内に挿入されて移動体３４が後方へ移動された際には、イグニッションキー２４が何れの回転位置にある場合でも、付勢コイルスプリング４４が圧縮された状態で、一方の第１接点４６が一方の第２接点５６に接触されると共に、他方の第１接点４８が他方の第２接点５８に接触される。
【００２５】
ターミナルベース５４の前面には、イグニッションスイッチ３２を構成する複数の切換接点６０（ターミナル）が設けられており、切換接点６０は、回転軸３６の軸線を中心とした円弧に沿って延伸されている。これにより、イグニッションキー２４が挿入孔２２内に挿入されて移動体３４が後方へ移動された際には、複数の押圧コイルスプリング５２が圧縮された状態で、複数の回転接点５０と複数の切換接点６０とが接触可能にされており、イグニッションキー２４の回転位置毎に、複数の回転接点５０と複数の切換接点６０との接触又は非接触のパターンが異なっている（切り換えられる）。
【００２６】
次に、本実施の形態の作用を説明する。
【００２７】
以上の構成のキー装置１０では、イグニッションシリンダ１８（キーロータ２０の挿入孔２２内）に対しイグニッションキー２４を挿入又は抜取可能にされており、イグニッションシリンダ１８にイグニッションキー２４が挿入された際には、イグニッションキー２４を「ＬＯＣＫ」位置、「ＡＣＣ」位置、「ＯＮ」位置又は「ＳＴＡＲＴ」位置へ回転操作可能にされている。
【００２８】
イグニッションシリンダ１８にイグニッションキー２４が挿入された際には、イグニッションキー２４によってプッシュロッド２６が後方へ押圧されることで、スイッチ２８の支持コイルスプリング４０の付勢力に抗して、プッシュロッド２６及びスイッチ２８の移動体３４が後方へ移動される。このため、イグニッションキー２４が何れの回転位置にある場合でも、スイッチ２８のウォーニングスイッチ３０において、付勢コイルスプリング４４が圧縮された状態で、一方の第１接点４６が一方の第２接点５６に接触されると共に、他方の第１接点４８が他方の第２接点５８に接触される。これにより、イグニッションシリンダ１８にイグニッションキー２４が挿入されているか、又は、イグニッションシリンダ１８からイグニッションキー２４が抜き取られているか、を検知可能にされている。
【００２９】
さらに、イグニッションシリンダ１８にイグニッションキー２４が挿入されて移動体３４が後方へ移動された際には、複数の押圧コイルスプリング５２が圧縮された状態で、複数の回転接点５０と複数の切換接点６０とが接触可能にされており、イグニッションキー２４の回転位置毎に、複数の回転接点５０と複数の切換接点６０との接触又は非接触のパターンが異なっている。これにより、イグニッションキー２４の回転位置を検知可能にされている。
【００３０】
ここで、移動体３４（一対の第１接点４６、４８）の移動方向（前後方向）において、一対の第１接点４６、４８と一対の第２接点５６、５８とが接触される。このため、一対の第２接点５６、５８を平行に配置できて同一面に配置でき、一対の第２接点５６、５８の構成を簡単にすることができる。しかも、一対の第２接点５６、５８は複数の切換接点６０と同一面に配置されているため、一対の第２接点５６、５８及び複数の切換接点６０の構成を簡単にすることができる。これにより、一対の第２接点５６、５８及び複数の切換接点６０の製造を容易にすることができると共に、一対の第２接点５６、５８及び複数の切換接点６０の省スペース化を図ることができる。
【００３１】
さらに、一対の第１接点４６、４８及び複数の回転接点５０が移動体３４に設けられて一体にされると共に、一対の第２接点５６、５８及び複数の切換接点６０がターミナルベース５４の前面に設けられて一体にされている。このため、スイッチ２８（ウォーニングスイッチ３０及びイグニッションスイッチ３２）の組付性を向上させることができる。
【００３２】
また、一対の第１接点４６、４８が一対の第２接点５６、５８に接触されると共に、複数の回転接点５０が複数の切換接点６０に接触された状態で、イグニッションキー２４の回転操作によってキーロータ２０及びプッシュロッド２６を介して移動体３４が回転される際には、一対の第１接点４６、４８が一対の第２接点５６、５８に対し摺動されると共に、複数の回転接点５０が複数の切換接点６０に対し摺動される。このため、一対の第１接点４６、４８と一対の第２接点５６、５８とを互いに払拭することができると共に、複数の回転接点５０と複数の切換接点６０とを互いに払拭することができる。
【００３３】
［第２の実施の形態］
図５には、本発明の接点装置が適用されて構成された第２の実施の形態に係る車両用のキー装置７０の主要部が側方から見た断面図にて示されている。
【００３４】
本実施の形態に係るキー装置７０は、上記第１の実施の形態と、ほぼ同様の構成であるが、以下の点で異なる。
【００３５】
本実施の形態に係るキー装置７０では、スイッチ２８（特にウォーニングスイッチ３０）において、移動体３４内に収容孔７２が形成されており、収容孔７２は後方へ開口されている。なお、移動体３４には、上記第１の実施の形態における支持体３８、支持コイルスプリング４０及び付勢コイルスプリング４４が設けられていない。
【００３６】
移動体３４のコンタクト４２は、断面略Ｔ字状にされて、収容孔７２内に収容されており、コンタクト４２の一対の第１接点４６、４８は、それぞれ、コンタクト４２後端部の一端及び他端から後方へ突出されて、移動体３４（収容孔７２）から後方へ突出されている。一方の第１接点４６は、回転軸３６の軸線上に配置されると共に、他方の第１接点４８は、回転軸３６の軸線から離間して配置されている。
【００３７】
コンタクト４２後端部の一端と収容孔７２の前面との間には、支持付勢手段及びウォーニング付勢手段としての圧縮コイルスプリング７４が架け渡されており、圧縮コイルスプリング７４の付勢力によって、一方の第１接点４６がターミナルベース５４前面の一方の第２接点５６に接触されている。これにより、圧縮コイルスプリング７４の付勢力によって移動体３４及びプッシュロッド２６が前方へ移動されると共に、イグニッションキー２４が挿入孔２２内に挿入された際には、イグニッションキー２４によってプッシュロッド２６及び移動体３４が圧縮コイルスプリング７４の付勢力に抗して後方へ移動可能にされている。
【００３８】
コンタクト４２後端部の他端と収容孔７２の前面との間には、ウォーニング付勢手段としての引張コイルスプリング７６が架け渡されている。コンタクト４２後端部の他端には、円柱状のピン７８が固定されると共に、引張コイルスプリング７６の後端には、長尺環状の係合環８０が設けられており、係合環８０にピン７８が挿入されることで、引張コイルスプリング７６の後端がコンタクト４２後端部の他端に移動可能に係合されている。これにより、引張コイルスプリング７６の付勢力によって、収容孔７２の前面にコンタクト４２が前端において接触されると共に、他方の第１接点４８がターミナルベース５４前面の他方の第２接点５８から離間されており、イグニッションキー２４が挿入孔２２内に挿入されて移動体３４が後方へ移動された際には、収容孔７２の前面にコンタクト４２が前端において押圧されて揺動されることで、他方の第１接点４８が他方の第２接点５８に接触可能にされている（図６参照）。
【００３９】
なお、本実施の形態でも、スイッチ２８に上記第１の実施の形態と同様のイグニッションスイッチ３２（移動体３４の複数の回転接点５０及び押圧コイルスプリング５２、ターミナルベース５４前面の複数の切換接点６０）が設けられている。
【００４０】
ここで、本実施の形態でも、上記第１の実施の形態と同様の作用及び効果を奏することができる。
【００４１】
さらに、移動体３４のコンタクト４２及び圧縮コイルスプリング７４が、移動体３４及びプッシュロッド２６を前方へ移動させるため、移動体３４に上記第１の実施の形態における支持体３８及び支持コイルスプリング４０を別途設ける必要がない。このため、移動体３４の構成を簡単にすることができる。
【図面の簡単な説明】
【００４２】
【図１】本発明の第１の実施の形態に係るキー装置のスイッチ内部の概略を示す側方から見た断面図（図３の１−１線における断面図）である。
【図２】本発明の第１の実施の形態に係るキー装置のスイッチ内部の概略を示す側方から見た断面図（図３の２−２線における断面図）である。
【図３】本発明の第１の実施の形態に係るキー装置のスイッチ内部におけるターミナルベースを示す斜め前方から見た斜視図である。
【図４】本発明の第１の実施の形態に係るキー装置を示す斜め前方から見た分解斜視図である。
【図５】本発明の第２の実施の形態に係るキー装置のスイッチ内部における移動体が前方へ移動された状態の概略を示す側方から見た断面図である。
【図６】本発明の第２の実施の形態に係るキー装置のスイッチ内部における移動体が後方へ移動された状態の概略を示す側方から見た断面図である。
【符号の説明】
【００４３】
１０    キー装置
１８    イグニッションシリンダ（キーシリンダ）
２４    イグニッションキー（キー）
２８    スイッチ（接点装置）
４６    第１接点
４８    第１接点
５０    回転接点
５６    第２接点
５８    第２接点
６０    切換接点
７０    キー装置
【図１】
2009129623.tif 000003
【図２】
2009129623.tif 000004
【図３】
2009129623.tif 000005
【図４】
2009129623.tif 000006
【図５】
2009129623.tif 000007
【図６】
2009129623.tif 000008